(57)【要約】      （修正有）【課題】花の運送等に際し、水の密封及び漏出防止を可とする、花保水管構造を提供する。【解決手段】花保水管構造は、管体２を被せ設けることができる蓋体１を含み、且つ蓋体は、軟質で変形可能な挿入設置部１１を設け、該挿入設置部１１が１つの挿入孔１１１を開設し、これにより、花が挿入孔に挿入される時、挿入設置部を内凹変形させ、挿入設置部１１が花と密接した状態を呈するよう維持し、管体２内の水分の外部漏出を防止し、且つ花が挿入孔１１１に相対して蓋体１から容易に離脱しないようにする。【選択図】図１
0003181606.tif 000002
【実用新案登録請求の範囲】
【請求項１】
管体を被せ設けることができる蓋体を含み、且つ蓋体は、軟質で変形可能な挿入設置部を設け、該挿入設置部が１つの挿入孔を開設し、
これにより、花が挿入孔に挿入される時、挿入設置部を内凹変形させ、挿入設置部が花と密接した状態を呈するよう維持し、管体内の水分の外部漏出を防止し、且つ花が挿入孔に相対して蓋体から容易に離脱しないようにする花保水管構造。
【請求項２】
前記挿入設置部が錐形状を呈する請求項１に記載の花保水管構造。
【請求項３】
前記挿入設置部及び箱体の間の箱体内側に内角を形成し、該内角の角度が９５度より大きい請求項１に記載の花保水管構造。
【考案の詳細な説明】
【技術分野】
【０００１】
本考案は、花の保水管構造に関し、花の技術分野に応用され、特に、密封及び漏出防止効果を有する花の保水管構造に関する。
【背景技術】
【０００２】
花は、国内販売又は国外販売に関わらず、その運送プロセスが複雑で多く、且つ途中に多くの細節に特に注意が必要である。１つの生産区域から花を花屋又は他の区域への運送で、中間に鮮度パッケージ、包装及び温度管理等の技術的な面に関し、運送過程で如何に花にその鮮を保持させるかは、関連業者が重視する問題である。
【０００３】
水分は、花に不可欠な重要元素の１つであり、強烈な日照及び深刻な水不足は、何れも花を劣化させることができる。従って、国内販売又は国外販売に関わらず、花の運送の過程において、花を水中に挿し、その新鮮度を維持する必要がある。また、花を運送する時、各種要因、例えば、路面の激しい起伏、人力による運搬等により中に載置する花を知らない間に相互に衝突させ、傷つける可能性があるので、業者は、通常花を梱包して運送し、花の末端に水を汲んだ花鮮度保存管を取り付け、花に十分な水を提供し、花が運送で損耗するリスクを低減している。
【０００４】
従来技術の花の鮮度保存管は、蓋体を設け、且つ該蓋体上に挿入設置面を設け、挿入設置面に挿入孔を開設し、従って、花を挿入設置孔から管内に挿入することができる。しかしながら、従来技術の挿入設置面は、花の根部又は茎部の断面寸法が挿入設置孔の孔径と差異を有する時、花が鮮度保存管に定位することができず、且つ運送過程において、管体から離脱し易く、その鮮度を保持することができない。また、花及び挿入設置孔の間に隙間を有し易く、鮮度保存管内の水分を、隙間を経由して滲み出させ、花の保水時間を減少し、花の鮮度保存程度に影響を及ぼす。
【０００５】
従って、本考案者は、関連製品の研究及び開発に長年を費やし、多数回の実験及び試験を経て、花を鮮度保存管上に安定固定でき、且つ鮮度保存管内の水分が外部漏出することを防止できる『花の保水管構造』を考案している。
【先行技術文献】
【特許文献】
【０００６】
【特許文献１】特許公表２００７−５２６０７４号公報
【考案の概要】
【考案が解決しようとする課題】
【０００７】
本考案の目的は、花を蓋体上に安定固定可能にし、且つ管体内の水分の外部漏出を防止可能にすることにある。
【課題を解決するための手段】
【０００８】
前記考案の目的及び効果を達成する為、本考案の花保水管構造は、
管体を被せ設けることができる蓋体を含み、且つ蓋体は、軟質で変形可能な挿入設置部を設け、該挿入設置部が１つの挿入孔を開設し、
これにより、花が挿入孔に挿入される時、挿入設置部を内凹変形させ、挿入設置部が花と密接した状態を呈するよう維持し、管体内の水分の外部漏出を防止し、且つ花が挿入孔に相対して蓋体から容易に離脱しないようにする。
【０００９】
本考案の該挿入設置部は、錐形状を呈する。
【００１０】
本考案の該挿入設置部及び蓋体の周壁の間の蓋体内側に内角を形成し、該内角の角度が９５度より大きい。
【考案の効果】
【００１１】
本考案の花保水管構造は、花を蓋体上に安定固定可能にし、且つ管体内の水分の外部漏出を防止可能にする。
【図面の簡単な説明】
【００１２】
【図１】本考案の分解立体図である。
【図２】本考案の組み合わせ立体図である。
【図３】本考案の組み合わせ断面図である。
【図４】本考案の花を挿入した立体図である。
【図５】本考案の花を挿入した断面図である。
【図６】蓋体を取り付けた第１種管体の立体図である。
【図７】蓋体を取り付けた第１種管体の断面図である。
【図８】蓋体を取り付けた第２種管体の立体図である。
【図９】蓋体を取り付けた第３種管体の立体図である。
【考案を実施するための形態】
【００１３】
本考案が上記目的及び効果を達成する為に採用する技術手段及び構造について、本考案の実施例を挙げ、その特徴及び効果を以下に詳細に説明する。
【００１４】
図１〜図５を参照し、本考案の保水管構造は、
蓋体1を含み、該蓋体１は、管体２を被せ設けることができ、且つ蓋体１は、軟質で変形可能な挿入設置部１１を設け、該挿入設置部１１が１つの挿入孔１１１を開設し、
これにより、花が挿入孔１１１に挿入される時、挿入設置部１１を花の挿入設置方向から内凹変形させ、挿入設置部１１が花と密接した状態を呈するよう維持し、管体２内の水分の外部漏出を防止し、且つ花が挿入孔１１１に相対して蓋体１から容易に離脱しないようにし、花に対する効率的な水保存の効果を提供する（前記は、本考案の主な実施例の主な技術特徴は、本考案の特許請求の範囲第１項の内容に対応し、本考案の目的及び実施形態を詳細に知ることができ、その残りの従属項の技術特徴は、専利請求の範囲第１項の内容の詳細又は付加技術特徴であり、特許請求の範囲第１項の定義範囲を制限することに用いるものではなく、本願の特許請求の範囲第１項は、その従属項に記載する技術特徴を必ずしも含まなければならないものではない）。
【００１５】
上記構造の説明に基づき、更に、本考案の実施状態及び利点を説明し、図５を参照し、孔が挿入孔１１１に挿入される時（本実施例は花の茎部を挿入孔111に挿入する）、茎部の横方向断面寸法が挿入孔１１１の孔径より大きいので、花の茎部が挿入孔１１１に挿入される過程において、孔１１１と密接するよう押圧し、挿入設置部１１を、内凹状を呈するよう合わさって変形させ、花の茎部周囲に係合し、このように密封効果を達成するだけでなく、同時に花の茎部を挿入孔１１１中に緊密に定位させ、外力の作用を受けて挿入孔１１１から容易に脱落することがない。
【００１６】
図２、図３を参照し、該挿入設置部１１及び蓋体１の周壁の間の蓋体１内側に内角αを形成し、該内角αの角度が９５度より大きく、該挿入設置部１１に錐形状（外凸錐形状）を呈させ、且つ挿入孔１１１は、挿入設置部１１の上端に位置し、これにより、花が挿入孔１１１に挿入される時、該挿入設置部１１は、逆錐状（図５参照）に合わさって変形し、花を係止させ、花が挿入孔１１１から容易に抜けないようにする（本考案の主な技術特徴は、花を挿入孔１１１に挿入する時、それが挿入孔１１１と密接状態を呈することができ、挿入設置部１１の形状は、挿入に便利で、花を固定し、適度に変形する等の効果を提供し、従って、挿入設置部１１は、内凹、外凸、楕円、弧形、方形等の各種形状であることができ、何れも本考案の主要技術特徴に影響を及ぼさない）。これに基づき、挿入孔１１１及び花が密接状態を達成し、漏水の効果を防止することができるだけでなく、同時に花も挿入孔１１１内で堅く定位することができる。
【００１７】
また、本考案の主要な技術特徴は、蓋体１にあり、従って、本考案は、管体２の形態を制限せず、図６〜図９に示すように、該管体２は、変形可能な材質であり、花が水分を吸収する時、該管体は、圧縮変形でき、花を任意の状態で水分を保有させることができ、或いは、該管体２末端は、方形状を呈するか、管体２の長さが比較的長く且つ末端が弧形状を呈するか、管体２が硬式で変形不可能な材質で形成されることもでき、故に本考案と組み合わせる手法が近似するか、目的が同一の実施形態は、何れも本考案の概念に含むものである。
【００１８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１９】
１  蓋体
１１１  挿入設置部
１１１  挿入孔
２  管体
α  内角
【図１】
0003181606.tif 000003
【図２】
0003181606.tif 000004
【図３】
0003181606.tif 000005
【図４】
0003181606.tif 000006
【図５】
0003181606.tif 000007
【図６】
0003181606.tif 000008
【図７】
0003181606.tif 000009
【図８】
0003181606.tif 000010
【図９】
0003181606.tif 000011